(57)【要約】【目的】現金処理装置等の媒体処理装置の設置場所が太陽光が当たる個所にも配置されることがあり、その場合、太陽光が媒体を透過してセンサが誤動作してしまうという問題が生じる。【構成】媒体の出入口のシャッタの内側に光学式センサを配置した媒体処理装置において、シャッタの完全閉止状態を検知する光学式センサを設け、そのセンサがシャッタの閉動作時に不完全閉止を検知するとシャッタの開閉動作を行い、それによるシャッタの内側のセンサの切り替わりの有無を監視して媒体の有無を検知することを特徴とする。【選択図】        図１
2004213549.tif 000002
【特許請求の範囲】
【請求項１】
媒体の出入口のシャッタの内側に光学式センサを配置した媒体処理装置において、
シャッタの完全閉止状態を検知するセンサを設け、そのセンサがシャッタの閉動作時に不完全閉止を検知するとシャッタの開閉動作を行い、それによるシャッタの内側の光学式センサの切り替わりの有無を監視して媒体の有無を検知することを特徴とする媒体処理装置。
【請求項２】
請求項１において、シャッタの外側に受光面を上向きにした光学式センサを配置し、外光を検知できるようにしたことを特徴とする媒体処理装置。
【発明の詳細な説明】
【０００１】
【発明の属する技術分野】
本発明は、現金自動取引装置等の媒体処理装置に関する。
【０００２】
【従来の技術】
媒体処理装置の構成を図１に示し、その概略を以下に説明する。
１は媒体処理装置であり、内部は以下のような構成になっている。
２は紙幣等の媒体を収納する媒体収納部、３は媒体処理装置１内に媒体を出し入れする際の出入口であり、媒体を出し入れする際に開閉するシャッタ４がついている。
【０００３】
５は媒体を搬送する搬送路であり、ローラや平ベルト等で構成されている。
６は束搬送路であり、２本の無端ベルトを上下に対向させて張設し、図示しない駆動源によって媒体をそれら無端ベルトで挟んで束状態の媒体を装置内に出し入れする。
７、８、９は発光素子と受光素子を対向配置させ、媒体の有無を検出するセンサである。
【０００４】
１０も上記同様に発光素子と受光素子を対向配置させ、シャッタ４の開閉状態を検出するセンサであり、例えばシャッタ４が閉じた状態をＯＮとする。
上記センサ７は、シャッタ４のすぐ内側に設けられており、太陽光等の外光が媒体にあたって反射して受光素子に入らないないように受光素子は下側、発光素子は上側に配置されており、排出された媒体が抜き取られたか否かの検出および差し入れられた媒体が規定の位置まで運ばれたことの検出を行う。
【０００５】
センサ８は、媒体が出入口３から入れられた際、束搬送路６を挟むトリガセンサおよび束で媒体を出すときの媒体の停止位置制御に用いる。
センサ９は、束搬送路６に媒体が有るか否かの検知を行う。なお、センサ８およびセンサ９の発光素子、受光素子の配置には特に定めはない。
以下に上記構成の作用を説明する。
【０００６】
（１）媒体を入れる場合を図７のフローチャートを用いて説明する。
Ｓｅ１．顧客が図示しない媒体を入れる指示ボタンを押下する。
Ｓｅ２．これによりシャッタ４が開状態になり、センサ１０がそれを検知する。
Ｓｅ３．センサ１０が開状態を検知しない場合には、再びシャッタ４は閉じて開く動作を行い、センサ１０がそれを検知すれば次に進み、開状態を検知しなければエラーとして装置は停止する。
【０００７】
Ｓｅ４．シャッタ４が開状態になると、顧客は媒体を出入口３から差し入れ、センサ８が遮光されたことを検知する（以下遮光状態をＯＮ、通光状態をＯＦＦとする。）。
Ｓｅ５．図示しない駆動源によって束搬送路６の２本の無端ベルト間が狭まって束媒体を挟む。
【０００８】
Ｓｅ６．束搬送路６を媒体吸入方向に回動させる。
Ｓｅ７．束媒体の後端がセンサ７の位置を通過してセンサ７がＯＦＦとなる。
Ｓｅ８．センサ７ＯＦＦで束搬送路６を停止させる。
Ｓｅ９．束搬送路６の２本の無端ベルト間を拡げて束媒体の挟んだ状態を開放する。
【０００９】
Ｓｅ１０．シャッタ４を閉じ、センサ１０がそれを検知する。
Ｓｅ１１．センサ１０が閉状態を検知しない場合、シャッタ４をを開状態にし、再度、閉状態にする。それでもセンサ１０が閉状態を検知できない場合はエラーとして装置は停止する。
Ｓｅ１２．規定の位置まで束搬送された媒体は図示しない駆動源により、搬送路５に一枚ずつ分離されて繰り出される。
【００１０】
Ｓｅ１３．搬送路５を搬送するすることにより、媒体収納部２に収納されて終了する。
（２）媒体を出す場合を図８のフローチャートを用いて説明する。
Ｓｆ１．顧客が図示しない指示ボタンを押下する。
Ｓｆ２．媒体収納部２に収納されている媒体を１枚ずつ繰り出す。
【００１１】
Ｓｆ３．搬送路５を搬送させるすることにより、束搬送路６の下方の無端ベルト上にそれら媒体を集積させ、規定枚数の集積完了。
Ｓｆ４．図示しない駆動源により束搬送路６で束媒体を挟む。
Ｓｆ５．図示しない駆動源によりシャッタ４を開き、センサ１０がそれを検知する。
【００１２】
Ｓｆ６．センサ１０が開状態を検知しない場合には、再びシャッタ４を閉じて開く動作を行い、センサ１０がそれを検知すれば次に進み、開状態を検知しなければエラーとして装置は停止する。
Ｓｆ７．図示しない駆動源により束搬送路６を媒体排出方向に回転させる。
Ｓｆ８．束媒体の後端がセンサ８の位置を通過しＯＦＦとなることをを監視する。
【００１３】
Ｓｆ９．センサ８がＯＦＦになると束搬送路６を駆動停止する。なお、この停止位置ではセンサ７はＯＮしている。
Ｓｆ１０．顧客が出入口３から束媒体を取り出すとセンサ７が検知（ＯＦＦ）する。
Ｓｆ１１．図示しない駆動源によりシャッタ４を閉じ、センサ１０がそれを検知して終了する。
【００１４】
Ｓｆ１２．センサ１０が閉状態を検知しない場合には、再びシャッタ４を開いて閉じる動作を行い、センサ１０が閉状態を検知すれば終了し、閉状態を検知しなければエラーとして装置は停止する。
【００１５】
【発明が解決しようとする課題】
このような従来の技術によると、媒体処理装置の設置場所が店舗内であり、媒体の出入口に設けてある光学式センサは、蛍光灯レベルの光に対して対応できるように考慮されていたために光学式センサの誤動作はなかったが、近年、無人店舗やコンビニエンスストア、駅等において太陽光が直接当たる個所にも配置されることがあり、その場合、太陽光が媒体を透過して光学式センサが誤動作してしまうという問題が生じる。
【００１６】
【課題を解決するための手段】
そこで本発明は、媒体の出入口のシャッタの内側に光学式センサを配置した媒体処理装置において、シャッタの完全閉止状態を検知するセンサを設け、そのセンサがシャッタの閉動作時に不完全閉止を検知するとシャッタの開閉動作を行い、それによるシャッタの内側の光学式センサの切り替わりの有無を監視して媒体の有無を検知することを特徴とする。
【００１７】
さらには、シャッタの外側にも受光面を上向きにした光学式センサを配置し、外光を検知できるようにしたことを特徴とする。
【００１８】
【発明の実施の形態】
以下に本発明の実施の形態例を図面を用いて説明する。
第１実施の形態例
媒体処理装置の構成は上記図１に示した構造と同様であり、その概略は以下の通りである。
【００１９】
１は媒体処理装置であり、内部は以下のような構成になっている。
２は紙幣等の媒体を収納する媒体収納部、３は媒体処理装置１内に媒体を出し入れする際の出入口であり、媒体を出し入れする際に開閉するシャッタ４がついている。
このシャッタ４は、ソレノイドやモータ等の駆動源によって開閉駆動され、媒体上に降下した場合でも媒体を破損させることがなく停止するように制御されている。例えば、自重程度の圧力で媒体上で停止できるようになっている。
【００２０】
５は媒体を搬送する搬送路であり、ローラや平ベルト等で構成されている。
６は束搬送路であり、２本の無端ベルトを上下に対向させて張設し、図示しない駆動源によって媒体をそれら無端ベルトで挟んで束状態の媒体を装置内に出し入れする。
７、８、９は発光素子と受光素子を対向配置させ、媒体の有無を検出するセンサである。
【００２１】
１０も上記同様に発光素子と受光素子を対向配置させ、シャッタ４の開閉状態を検出するセンサであり、以下の説明ではシャッタ４が閉じた状態をＯＮとして説明するが、開いた状態をＯＮとしてもよい。
上記センサ７は、シャッタ４のすぐ内側に設けられており、太陽光等の外光が媒体にあたって反射して受光素子に入らないないように受光素子は下側、発光素子は上側に配置されており、排出された媒体が抜き取られたか否かの検出および差し入れられた媒体が規定の位置まで運ばれたことの検出を行う。
【００２２】
センサ８は、媒体が出入口３から入れられた際、束搬送路６を挟むトリガセンサおよび束で媒体を出すときの媒体の停止位置制御に用いる。
センサ９は、束搬送路６に媒体が有るか否かの検知を行う。なお、センサ８およびセンサ９の発光素子、受光素子の配置には特に定めはない。
なお、上記センサ１０は図においては媒体下部の閉位置を検知するようにして説明しているが、媒体上部の開位置を検知するようにしても同様である。
【００２３】
以下に上記構成の作用を説明する。通常時の動作は上記の従来の動作と同様である。
（１）太陽光が出入口に当たっているときに媒体を入れる場合を図２のフローチャートを用いて説明する。
Ｓａ１．顧客が図示しない媒体を入れる指示ボタンを押下する。
【００２４】
Ｓａ２．これによりシャッタ４が開状態になり、センサ１０がそれを検知する。
Ｓａ３．センサ１０が開状態を検知しない場合には、再びシャッタ４を閉じて開く動作を行い、センサ１０がそれを検知すれば次に進み、開状態を検知しなければエラーとして装置は停止する。
【００２５】
Ｓａ４．シャッタ４が開状態になると、顧客は媒体を出入口３から差し入れ、センサ８が遮光されたことを検知する（遮光状態をＯＮ、通光状態をＯＦＦとする。）。
Ｓａ５．図示しない駆動源によって束搬送路６の２本の無端ベルト間が狭まって束媒体を挟む。
【００２６】
Ｓａ６．束搬送路６を媒体吸入方向に回動させる。
Ｓａ７．束媒体の後端がセンサ７の位置を通過してセンサ７がＯＦＦとなる。しかし、媒体の吸入が完了していないにもかかわらず太陽光が媒体を透過し、センサ７がＯＦＦとなっている場合がある。そこで、センサ７がＯＦＦであることとセンサ８または９のいずれかがＯＮであることを監視する。
【００２７】
Ｓａ８．センサ７がＯＦＦで、しかもセンサ８および９がＯＮであれば正常搬送（太陽光の透過の可能性も含まれる。）として次に進む。センサ７がＯＦＦで、しかもセンサ８および９がＯＦＦである場合には再びシャッタ４を閉じる動作を行い、センサ７、８がＯＮに変化したときは、太陽光の透過と判断してシャッタ４を閉状態として次に進む。シャッタ４を閉じる動作を行ってもセンサ７がＯＦＦでしかもセンサ８および９がＯＦＦである場合には抜き取りが行われた可能性等もあるがエラーとして装置は停止する。
【００２８】
Ｓａ９．シャッタ４を開状態にして束搬送路６を媒体吸入方向に回動させる。このときには、センサ９で束搬送路６の媒体吸入方向の停止位置を制御するので、センサ９がＯＦＦであれば、ＯＮ後の搬送量は一定値である。しかし、すでにセンサ９がＯＮしているときには、センサ７がＯＦＦとなった時点での、センサ９通過後の搬送量を一定値から減算した値となる。
【００２９】
Ｓａ１０．束搬送路６の２本の無端ベルト間を拡げて束媒体の挟んだ状態を開放する。
Ｓａ１１．シャッタ４を閉じる。
Ｓａ１２．センサ１０がそれを検知したら次に進む。
Ｓａ１３．センサ１０が閉状態を検知しない場合、センサ８または９がＯＮしていれば媒体有りと判断し、束搬送路６で媒体を挟み、センサ９ＯＮから一定時間吸入させて停止し、シャッタ４を閉じる動作を行ってセンサ１０が閉状態を検知すれば媒体の吸入動作が正常に終了したとする。その他の場合はエラーとして装置は停止する。
【００３０】
Ｓａ１４．規定の位置まで束搬送された媒体は図示しない駆動源により、搬送路５に一枚ずつ分離されて繰り出される。
Ｓａ１５．搬送路５を搬送することにより、媒体収納部２に収納されて終了する。
（２）太陽光が出入口に当たっているときに媒体を出す場合を図３のフローチャートを用いて説明する。
【００３１】
Ｓｂ１．顧客が図示しない指示ボタンを押下する。
Ｓｂ２．媒体収納部２に収納されている媒体を１枚ずつ繰り出す。
Ｓｂ３．搬送路５を搬送させることにより媒体を束搬送路６に搬送する。
Ｓｂ４．束搬送路６の下方の無端ベルト上にそれら媒体を集積させ、規定枚数の集積を完了させる。
【００３２】
Ｓｂ５．図示しない駆動源により束搬送路６で束媒体を挟む。
Ｓｂ６．図示しない駆動源によりシャッタ４を開き、センサ１０がそれを検知する。
Ｓｂ７．センサ１０が開状態を検知しない場合には、再びシャッタ４を閉じて開く動作を行い、センサ１０がそれを検知すれば次に進み、開状態を検知しなければエラーとして装置は停止する。
【００３３】
Ｓｂ８．図示しない駆動源により束搬送路６を媒体排出方向に回転させる。
Ｓｂ９．束媒体の後端がセンサ８の位置を通過しＯＦＦとなることを監視する。
しかし、媒体がセンサ８を通過したにもかかわらず太陽光が媒体を透過し、センサ７がＯＦＦとなっている場合がある。そこで、センサ７がＯＮであることとセンサ８またはセンサ９のいずれもがＯＮであることを監視する。
【００３４】
Ｓｂ１０．センサ７がＯＮで、しかもセンサ８および９がＯＮであれば正常搬送として次に進み、センサ７がＯＦＦで、しかもセンサ８および９がＯＦＦである場合には再びシャッタ４を閉じる動作を行い、センサ７、８がＯＮに変化したときは、太陽光の透過と判断して次に進む。シャッタ４を閉じる動作を行ってもセンサ７がＯＦＦでしかもセンサ８および９がＯＮである場合にはエラーとして装置は停止する。
【００３５】
Ｓｂ１１．センサ７がＯＮでしかもセンサ８および９がＯＮで束搬送路６の駆動停止させる。
Ｓｂ１２．装置から顧客に「媒体を取って下さい」とアナウンスを流し、一定時間待つ。
Ｓｂ１３．アナウンスを繰り返し、顧客が媒体を取り出すとセンサ７がＯＦＦとなる。顧客が一定時間内に取り出さない場合には取り忘れとして媒体を媒体収納部２に戻す。
【００３６】
Ｓｂ１４．図示しない駆動源によりシャッタ４を閉じ、センサ１０がそれを検知して終了する。
Ｓｂ１５．しかし、顧客が媒体を取り出していないにもかかわらず太陽光が媒体を透過し、センサ７がＯＦＦとなる誤動作が生じる場合がある。その場合は、センサ７がＯＦＦで、センサ１０がシャッタ閉じを検知しないことになる。そこで、再びＳｂ１３に戻る。
【００３７】
それでもセンサ７がＯＦＦでしかもシャッタ４が閉じなければエラーとして装置は停止する。
Ｓｂ１６．センサ７がＯＮでセンサ１０が検知しない場合は媒体の取り忘れと判断し、媒体を媒体収納部２に戻して終了する。
このように太陽光が媒体の出入口に当たっていても、装置を停止させずに正常に動作させることができることになる。
【００３８】
第２実施の形態例
媒体処理装置の構成は図４に示す通りであって上記図１の構造と略同様であり、その概略は以下の通りである。
１は媒体処理装置であり、内部は以下のような構成になっている。
２は紙幣等の媒体を収納する媒体収納部、３は媒体処理装置１内に媒体を出し入れする際の出入口であり、媒体を出し入れする際に開閉するシャッタ４がついている。
【００３９】
５は媒体を搬送する搬送路であり、ローラや平ベルト等で構成されている。
６は束搬送路であり、２本の無端ベルトを上下に対向させて張設し、図示しない駆動源によって媒体をそれら無端ベルトで挟んで束状態の媒体を装置内に出し入れする。
７、８、９は発光素子と受光素子を対向配置させ、媒体の有無を検出するセンサである。
【００４０】
１０も上記同様に発光素子と受光素子を対向配置させ、シャッタ４の開閉状態を検出するセンサであり、例えばシャッタ４が閉じた状態をＯＮとする。
１１も上記同様に発光素子と受光素子を対向配置させ、シャッタ４の手前に配置したセンサであり、これが本実施の形態例の特徴である。
上記センサ７は、シャッタ４のすぐ内側に設けられており、太陽光等の外光が媒体にあたって反射して受光素子に入らないないように受光素子は下側、発光素子は上側に配置されており、排出された媒体が抜き取られたか否かの検出および差し入れられた媒体が規定の位置まで運ばれたことの検出を行う。
【００４１】
センサ８は、媒体が出入口３から入れられた際、束搬送路６を挟むトリガセンサおよび束で媒体を出すときの媒体の停止位置制御に用いる。
センサ９は、束搬送路６に媒体が有るか否かの検知を行う。なお、センサ８およびセンサ９の発光素子、受光素子の配置には特に定めはない。
センサ１１も上記センサ７同様に太陽光等の外光が媒体にあたって反射して受光素子に入らないないように受光素子は下側、発光素子は上側に配置されており、太陽光が媒体を透過するレベルである場合をＯＦＦとなるようにしてある。
【００４２】
なお、上記センサ１０は図においては媒体下部の閉位置を検知するようにして説明しているが、媒体上部の開位置を検知するようにしても同様である。
以下に上記構成の作用を説明する。通常時の動作は上記の従来の動作と同様である。
（１）太陽光が出入口に当たっているときに媒体を入れる場合を図５のフローチャートを用いて説明する。
【００４３】
Ｓｃ１．顧客が図示しない媒体を入れる指示ボタンを押下する。
Ｓｃ２．これによりシャッタ４が開状態になり、センサ１０がそれを検知する。
Ｓｃ３．センサ１０が開状態を検知しない場合には、再びシャッタ４を閉じて開く動作を行い、センサ１０がそれを検知すれば次に進み、開状態を検知しなければエラーとして装置は停止する。
【００４４】
Ｓｃ４．シャッタ４が開状態になると、顧客は媒体を出入口３から差し入れ、センサ８が遮光されたことを検知する（以下遮光状態をＯＮ、通光状態をＯＦＦとする。）。
Ｓｃ５．図示しない駆動源によって束搬送路６の２本の無端ベルト間が狭まって束媒体を挟む。
【００４５】
Ｓｃ６．束搬送路６を媒体吸入方向に回動させる。
Ｓｃ７．センサ１１がＯＦＦしたか否かを監視する。つまり、太陽光が媒体を透過してＯＦＦしているか否かを監視する。
Ｓｃ８．束媒体の後端がセンサ７の位置を通過してセンサ７がＯＦＦを監視する。
【００４６】
Ｓｃ９．しかし、媒体の吸入が完了していないにもかかわらず太陽光が媒体を透過し、センサ７がＯＦＦとなっている場合がある。そこで、センサ７がＯＦＦである場合、Ｓｃ７でセンサ１１がＯＦＦのときは、誤動作の可能性があるためにシャッタ４を閉じて再び開く動作を行い、その間もセンサ７がＯＦＦであるか否かを監視し、ＯＦＦであれば次のステップに進む。ＯＮであれば媒体が存在するために規定の位置まで運ぶ時間を監視する。
【００４７】
Ｓｃ１０．シャッタ４を開状態にして束搬送路６を媒体吸入方向に回動させる。このときには、センサ９で束搬送路６の媒体吸入方向の停止位置を制御するので、センサ９がＯＦＦであれば、ＯＮ後の搬送量は一定値である。しかし、すでにセンサ９がＯＮしているときには、センサ７がＯＦＦとなった時点での、センサ９通過後の搬送量を一定値から減算した値となる。
【００４８】
Ｓｃ１１．束搬送路６の２本の無端ベルト間を拡げて束媒体の挟んだ状態を開放する。
Ｓｃ１２．シャッタ４を閉じる。
Ｓｃ１３．センサ１０がそれを検知したら次に進む。
Ｓｃ１４．センサ１０が閉状態を検知しない場合、センサ８または９がＯＮしていれば媒体有りと判断し、束搬送路６で媒体を挟み、センサ９のＯＮから一定時間吸入させて停止し、シャッタ４を閉じる動作を行ってセンサ１０の閉状態を検知すれば媒体の吸入動作が正常に終了したとする。その他の場合はエラーとして装置は停止する。
【００４９】
Ｓｃ１５．規定の位置まで束搬送された媒体は図示しない駆動源により、搬送路５に一枚ずつ分離されて繰り出される。
Ｓｃ１６．搬送路５を搬送することにより、媒体収納部２に収納されて終了する。
（２）太陽光が出入口に当たっているときに媒体を出す場合を図６のフローチャートを用いて説明する。
【００５０】
Ｓｄ１．顧客が図示しない指示ボタンを押下する。
Ｓｄ２．媒体収納部２に収納されている媒体を１枚ずつ繰り出す。
Ｓｄ３．搬送路５を搬送ることにより媒体を束搬送路６に搬送する。
Ｓｄ４．束搬送路６の下方の無端ベルト上にそれら媒体を集積させ、規定枚数の集積完了させる。
【００５１】
Ｓｄ５．図示しない駆動源により束搬送路６で束媒体を挟む。
Ｓｄ６．図示しない駆動源によりシャッタ４を開き、センサ１０がそれを検知する。
Ｓｄ７．センサ１０が開状態を検知しない場合には、再びシャッタ４を閉じて開く動作を行い、センサ１０がそれを検知すれば次に進み、開状態を検知しなければエラーとして装置は停止する。
【００５２】
Ｓｄ８．図示しない駆動源により束搬送路６を媒体排出方向に回転させる。
Ｓｄ９．束媒体の後端がセンサ８の位置を通過しＯＦＦとなることを監視する。
Ｓｄ１０．センサ１０がＯＦＦとなったら束搬送路６の駆動を停止する。
Ｓｄ１１．装置から顧客に「媒体を取って下さい」とアナウンスを流し、一定時間待つ。
【００５３】
Ｓｄ１２．アナウンスを繰り返し、顧客が媒体を取り出すとセンサ７がＯＦＦとなる。顧客が一定時間内に取り出さない場合には取り忘れとして媒体を媒体収納部２に戻す。
Ｓｄ１３．図示しない駆動源によりシャッタ４を閉じ、センサ１０がそれを検知して終了する。
【００５４】
Ｓｄ１４．しかし、媒体がセンサ８を通過したにもかかわらず太陽光が媒体を透過し、センサ７がＯＦＦとなっている場合がある。その場合、センサ１１も太陽光が媒体を透過するレベルであるためにＯＦＦ状態である。よって、顧客が媒体を抜き取っていないにもかかわらず抜き取ったとしてシャッタ４を閉じる作用を行う。
【００５５】
しかし、媒体があるためにシャッタ４は閉じきらずセンサ１０はＯＮにならずＯＦＦである。ここで、シャッタ４が閉じる動作をしたことにより、センサ７がＯＮとなりしかもセンサ１１はＯＦＦでセンサ１０もＯＦＦである場合にはシャッタ４は再び開き、Ｓｄ１１に戻る。
それでもセンサ７がＯＦＦでしかもシャッタ４がＯＮしなければエラーとして装置は停止する。
【００５６】
Ｓｄ１５．センサ７がＯＮでセンサ１０がＯＮしない場合は媒体の取り忘れと判断し、媒体を媒体収納部２に戻して終了する。
このように本実施の形態例においても、太陽光が媒体の出入口に当たっていても、装置を停止させずに正常に動作させることができることになり、しかも少ない動作で装置を運用させることができる。
【００５７】
【発明の効果】
以上詳細に説明した本発明によると、シャッタの完全な開閉を検知するセンサを設け、このセンサを監視することにより媒体の出入口に媒体がきたときに媒体の出入口に設けたセンサが太陽光が透過してそれを検知できなくてもシャッタの開閉動作を行って一時太陽光が出入口に入光するのを遮断して媒体の存在を検知するようにしたことにより、太陽光が媒体の出入口に当たって媒体を光が透過しても、装置を停止させずに正常に動作させることができる効果を有する。
【図面の簡単な説明】
【図１】媒体処理装置の構成図
【図２】媒体を入れる場合のフローチャート
【図３】媒体を出す場合のフローチャート
【図４】第２実施の形態例の媒体処理装置の構成図
【図５】媒体を入れる場合のフローチャート
【図６】媒体を出す場合のフローチャート
【図７】従来例の媒体を入れる場合のフローチャート
【図８】従来例の媒体を出す場合のフローチャート
【符号の説明】
１  媒体処理装置
２  媒体収納部
３  出入口
４  シャッタ
５  搬送路
６  束搬送路
７、８、９、１０、１１  光学式センサ
【図１】
2004213549.tif 000003
【図２】
2004213549.tif 000004
【図３】
2004213549.tif 000005
【図４】
2004213549.tif 000006
【図５】
2004213549.tif 000007
【図６】
2004213549.tif 000008
【図７】
2004213549.tif 000009
【図８】
2004213549.tif 000010